(57)【要約】【課題】簡単な構造で所定量の小塊物を安定して切出すことができる小塊物用フィーダ装置を提供する。【解決手段】８枡の仕切室５を有している回転ドラム４と、ホッパ２から仕切室５に小塊物１を供給するためのシュート３を備えているとともに、シュート３は、上下方向に互い違いに３段に配置されたシュート３ａ、３ｂ、３ｃで構成されており、シュート３ａ、３ｂ、３ｃによって、上下方向に屈曲した供給通路が形成されている。【選択図】　　　　　　図１
2004067269.tif 000002
【特許請求の範囲】
【請求項１】
ホッパに貯蔵されている小塊物を所定量切り出すためのフィーダ装置であって、ケーシング内に設けられ、水平方向に延びる回転軸に放射状に取り付けられた仕切板で複数の仕切室に仕切られた回転ドラムと、前記ホッパから前記仕切室に小塊物を供給するための供給通路を形成するシュートとを備え、前記供給通路は、傾斜角度が小塊物の摩擦角より大きく、通路高さが小塊物の寸法の２倍以上で、上下方向に屈曲した通路であり、前記供給通路から前記仕切室へ小塊物を供給する位置は、前記回転軸と同じ高さ位置から上方で回転方向に沿って前記回転ドラムの最上部位置の間に位置するとともに、前記回転ドラムの最上部位置から回転方向に沿って、前記ケーシングと前記回転ドラムとの隙間は、小塊物の最大寸法より大きくなっていることを特徴とする小塊物用フィーダ装置。
【発明の詳細な説明】
【０００１】
【発明の属する技術分野】
本発明は、ホッパ等に貯蔵されている小塊物を所定量切り出すためのフィーダ装置に関するものである。
【０００２】
【従来の技術】
従来、ホッパ等に貯蔵されている小塊物を所定量切り出すためのフィーダ装置としては、ホッパ下部に開閉ダンパを設け、そのダンパ開度を調整して所定量出るようにしたものや、ホッパ下方に電磁フィーダを取り付け、電磁フィーダの振幅を調整して所定の吐出流量となるようにしたものがある。
【０００３】
【発明が解決しようとする課題】
しかし、ホッパ下部に開閉ダンパを設けたものは、そのダンパ開度を小塊物の３倍以上の隙間となるようにしなければ、ダンパ部に小塊物が詰まることがあり、定量性に欠ける。ダンパ開度を大きくするとその問題は解消されるが、小流量に調整することは困難であるとともに、一旦流出し始めるとその勢いが強く、流出を停止することが難しい。ダンパの力を強力にしたとしても、タイミング悪く小塊物が挟まるとダンパを閉じることができない場合もある。
【０００４】
また、ホッパ下方に電磁フィーダを取り付けたものは、一定流速で流出させたり、流出を途中で停止することは容易であるが、小塊物の粒度分布にバラツキがあるとその吐出流量にもバラツキが生じる。したがって、吐出重量を正確に測るためには、図３に示すように、ホッパ２の下方に取り付けた電磁フィーダ１０から吐出させた小塊物を、一旦ロードセル１４を備えた２次貯蔵ホッパ１１に仮受けしてその重量を測定する必要がある。この場合、シリンダ１３で開閉ダンパ１２を開いて２次貯蔵ホッパ１１に貯めた小塊物を吐出する際に、別の電磁フィーダ１５を用いることになり、高価な装置となる。
【０００５】
一方、粉粒体を所定量切り出すためのフィーダ装置として、複数の仕切室を有した回転体をケーシング内に設け、仕切室に投入された粉粒体を回転体の回転に伴って仕切室から排出するロータリーフィーダが用いられているが、ロータリーフィーダをそのまま小塊物に用いると、小塊物がケーシングと回転体の間に噛み込み、回転体が回転できなくなる危険性がある。
【０００６】
本発明は、上記の問題を解決するためになされたものであり、簡単な構造で所定量の小塊物を安定して切り出すことができる小塊物用フィーダ装置を提供することを目的とするものである。
【０００７】
【課題を解決するための手段】
本発明の小塊物用フィーダ装置は、ホッパに貯蔵されている小塊物を所定量切り出すためのフィーダ装置であって、ケーシング内に設けられ、水平方向に延びる回転軸に放射状に取り付けられた仕切板で複数の仕切室に仕切られた回転ドラムと、前記ホッパから前記仕切室に小塊物を供給するための供給通路を形成するシュートとを備え、前記供給通路は、傾斜角度が小塊物の摩擦角より大きく、通路高さが小塊物の寸法の２倍以上で、上下方向に屈曲した通路であり、前記供給通路から前記仕切室へ小塊物を供給する位置は、前記回転軸と同じ高さ位置から上方で回転方向に沿って前記回転ドラムの最上部位置の間に位置するとともに、前記回転ドラムの最上部位置から回転方向に沿って、前記ケーシングと前記回転ドラムとの隙間は、小塊物の最大寸法より大きくなっていることを特徴とするものである。
【０００８】
【発明の実施の形態】
本発明の一実施形態を図１に示す。図１（ａ）は側断面図、（ｂ）は正面図である。
【０００９】
図１において、一実施形態に係る小塊物用フィーダ装置は、小塊物１を貯蔵した下細りの貯蔵ホッパ２の下部に、ケーシング６に納められ、水平方向に延びる回転軸４ａに放射状に取り付けられた仕切り板４ｂによって形成された８枡の仕切室５を有している回転ドラム４と、ホッパ２から仕切室５に小塊物１を供給するための供給通路を形成するシュート３を備えており、貯蔵ホッパ２に貯蔵されている小塊物１がシュート３によって形成された供給通路を通って仕切室５に供給され、電動機７による回転ドラム４の回転に伴って、仕切室５に供給された小塊物１がケーシング６の下部の吐出口９から流出するようになっている。
【００１０】
そして、実施形態に係る小塊物用フィーダ装置においては、小塊物１を供給するための供給通路を形成するシュート３は、上下方向に互い違いに３段に配置されたシュート３ａ、３ｂ、３ｃで構成されており、シュート３ａ、３ｂ、３ｃによって、上下方向に屈曲した供給通路が形成されている。
【００１１】
このように上下方向に屈曲した供給通路にすることにより、貯蔵ホッパ２内の小塊物１の重量を各段のシュート３ａ、３ｂ、３ｃで受け、回転ドラム４に過大な負荷がかからないので、回転ドラム４の回転を安定させることができる。
【００１２】
なお、上下方向から見て、シュート３ａの先端部とシュート３ｂの先端部が重なり、シュート３ｂの先端部とシュート３ｃの先端部が重なるように、各段のシュート３ａ、３ｂ、３ｃを配置すれば、貯蔵ホッパ２内の小塊物１の重量をシュート３ａ、３ｂ、３ｃで受け、回転ドラム４への負荷を軽減する上で、一層好ましい。
【００１３】
また、シュート３ａ、３ｂ、３ｃの傾斜角度は、小塊物１の摩擦角より大きくなっており、シュート３ａとシュート３ｂで形成される供給通路の高さ方向の隙間と、シュート３ｂとシュート３ｃで形成される供給通路の高さ方向の隙間は、それぞれ小塊物１の寸法の２倍以上となっている。
【００１４】
これによって、シュート３ａ、３ｂ、３ｃで形成された供給通路を小塊物１が詰りを起こすこと無くスムースに流れていくことができる。
【００１５】
なお、シュート３ａ、３ｂ、３ｃで形成される供給通路の高さ方向の隙間は、あまり大き過ぎるとスペースが無駄になるので、小塊物１の寸法の２倍〜３倍の範囲が好ましい。
【００１６】
また、供給通路から仕切室５に小塊物１を供給する位置は、回転軸４ａと同じ高さ位置から上方で、かつ、回転ドラム４の回転方向に沿って回転ドラム４の最上部までの間の範囲となるようになっている。
【００１７】
すなわち、シュート３ｃの先端の高さ位置は、回転軸４ａの高さ位置より上方に位置するように配置され、シュート３ｂの先端位置は、シュート３ｂから安息角で流出した小塊物１が回転ドラム４の最上部を越えないようないような位置に配置されている。
【００１８】
シュート３ｃの先端の高さ位置が、回転軸４ａの高さ位置より上方に位置するように配置されていることにより、小塊物１が仕切室５に入る際に、回転ドラム４とケーシング６との隙間に噛み込んで、回転ドラム４の回転が停止することがなくなる。
【００１９】
また、シュート３ｂの先端位置が、シュート３ｂから安息角で流出した小塊物１が回転ドラム４の最上部を越えないようないような位置に配置されていることにより、小塊物１が仕切室５に入らずに回転ドラム４の最上部を越えて直接吐出口９に流出することを防ぐことができる。
【００２０】
また、回転ドラム４の最上部から回転方向に沿って、回転ドラム４とケーシング６の隙間は小塊物１の最大寸法以上になっている。
【００２１】
これによって、回転ドラム４の最上部以降の回転位置において、仕切室５から先端がはみ出した小塊物１がケーシング６に接触して、回転ドラム４の回転を不安定にすることが防止される。
【００２２】
そして、電動機７にパルスカウンター８が取り付けられており、回転ドラム４の回転角度か回転数をカウントすることで、回転ドラム４からの吐出量が測定できるようになっている。
【００２３】
なお、回転ドラム４からの吐出量は、仕切室５の数が少ないと若干のバラツキが生じることがあるが、仕切室５の数が多くなる程、そのバラツキは少なくなるので、仕切室５は８室以上とするのが好ましい。
【００２４】
そして、上記のような構成の小塊物用フィーダ装置においては、予め回転ドラム４の１回転分または仕切室５の１室分の吐出量を測定しておき、小塊物１の切出量が決定されると、その切出量に見合う量となるまで回転ドラム４を電動機７で回転させて停止することにより、所定量の小塊物１の切り出しが可能となる。回転速度については、必要な切り出し速度に応じて決定すればよい。
【００２５】
回転ドラム４を電動機７で一定速度で回転させることにより、一定流量で連続的に吐出することも可能である。
【００２６】
また、小塊物１を配管で流す際には、一気に流すと配管に詰りを生じるので、一定量を断続的に吐出する必要があるが、そのような断続的な吐出も可能である。
【００２７】
なお、この実施形態に係る小塊物用フィーダ装置を組み込んだ設備の例を図２に示す。
【００２８】
以上、この実施形態に係る小塊物用フィーダ装置では、簡単な構造で所定量の小塊物を安定して切り出しができる。
【００２９】
すなわち、従来方法の電磁フィーダを用いたものは、ホッパが２セットとロードセルが必要であったが、この実施形態係るフィーダでは、ホッパが１セットあればよく、その分、狭いスペースでの設置が可能である。したがって、設備費の低廉化も可能になる。
【００３０】
また、従来方法の電磁フィーダを用いたものは、小塊物の粒度分布にバラツキがあるとその吐出流量にもバラツキを生じるが、この実施形態係るフィーダではバラツキも生じない。
【００３１】
そして、従来のロータリーフィーダは粉粒体に限られていたが、この実施形態係るフィーダでは、小塊物であっても噛み込みによる停止が無く安定した切り出しを行うことができる。
【００３２】
【発明の効果】
本発明の小塊物用フィーダ装置を用いることにより、簡単な構造で所定量の小塊物を安定して切り出すことができる。
【図面の簡単な説明】
【図１】本発明の一実施形態を示す説明図である。
【図２】本発明の一実施形態を組み込んだ設備の全体図である。
【図３】従来のフィーダ装置を組み込んだ設備の全体図である。
【符号の説明】
１　小塊物
２　貯蔵ホッパ
３、３ａ、３ｂ、３ｃ　シュート
４　回転ドラム
４ａ　回転軸
４ｂ　仕切り板
５　仕切室
６　ケーシング
７　電動機
８　パルスカウンター
９　吐出口
１０　電磁フィーダ
１１　貯蔵ホッパ
１２　貯蔵ホッパ開閉ダンパ
１３　貯蔵ホッパ開閉ダンパ用シリンダ
１４　ロードセル
１５　電磁フィーダ
【図１】
2004067269.tif 000003
【図２】
2004067269.tif 000004
【図３】
2004067269.tif 000005